(57)【特許請求の範囲】
【請求項１】
浴槽に接続される追い焚き循環通路を有して、該追い焚き循環通路には浴槽湯水を循環させる浴槽湯水循環ポンプが設けられ、前記追い焚き循環通路には湯水を貯留する貯湯水槽が熱交換手段を介して熱的に接続されており、前記浴槽湯水の温度を検出する浴槽湯水温検出手段と、前記貯湯水槽内の湯水の温度を検出する貯湯水温検出手段とを有し、浴槽湯水温を予め定められる風呂設定温度よりも低下させる浴槽湯水温低下指令を受けて、前記浴槽湯水温検出手段により検出される浴槽湯水温検出値と前記貯湯水温検出手段により検出される貯湯水温検出値とを比較し、該貯湯水温検出値が前記浴槽湯水温検出値よりも低いときには前記浴槽湯水循環ポンプを駆動させて浴槽湯水を追い焚きせずに前記追い焚き循環通路を通して循環させ、該循環する浴槽湯水と前記貯湯水槽内の湯水とを前記熱交換手段を介して熱交換させることにより前記浴槽湯水温を低下させる温度低下用熱交換制御手段を有し、また、太陽光の受光面を備えて太陽光の熱を集熱する集熱機を有し、該集熱機は前記受光面で受ける太陽光の熱によって内部の液体を加熱する構成と成して、その液体を循環させるための集熱機用液体循環通路が前記集熱機に接続され、該集熱機用液体循環通路が貯湯水槽と追い焚き循環通路とに熱的に接続されており、温度低下用熱交換制御手段によって前記追い焚き循環通路を通して循環させる浴槽湯水と前記貯湯水槽内の湯水とを熱交換させるときには、前記集熱機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、該集熱機用液体循環通路の液体を介して前記追い焚き循環通路を通る浴槽湯水と前記貯湯水槽内の湯水とを熱交換させる構成としたことを特徴とする風呂装置。
【請求項２】
浴槽に接続される追い焚き循環通路を有して、該追い焚き循環通路には浴槽湯水を循環させる浴槽湯水循環ポンプが設けられ、前記追い焚き循環通路には湯水を貯留する貯湯水槽が熱交換手段を介して熱的に接続されており、前記浴槽湯水の温度を検出する浴槽湯水温検出手段と、前記貯湯水槽内の湯水の温度を検出する貯湯水温検出手段とを有し、浴槽湯水温を予め定められる風呂設定温度よりも予め定められる設定低下温度低下させる浴槽湯水温低下指令を受けて、前記浴槽湯水温検出手段により検出される浴槽湯水温検出値と前記貯湯水温検出手段により検出される貯湯水温検出値とを比較し、該貯湯水温検出値が前記浴槽湯水温検出値よりも低いときには前記浴槽湯水循環ポンプを駆動させて浴槽湯水を追い焚きせずに前記追い焚き循環通路を通して循環させ、該循環する浴槽湯水と前記貯湯水槽内の湯水とを前記熱交換手段を介して熱交換させることにより前記浴槽湯水温を低下させる温度低下用熱交換制御手段を有し、該温度低下用熱交換制御手段は前記浴槽湯水温検出値が前記風呂設定温度よりも前記設定低下温度低くなったときに前記浴槽湯水循環ポンプを停止して前記浴槽湯水と前記貯湯水槽内の湯水との熱交換動作を停止する構成と成し、また、太陽光の受光面を備えて太陽光の熱を集熱する集熱機を有し、該集熱機は前記受光面で受ける太陽光の熱によって内部の液体を加熱する構成と成して、その液体を循環させるための集熱機用液体循環通路が前記集熱機に接続され、該集熱機用液体循環通路が貯湯水槽と追い焚き循環通路とに熱的に接続されており、温度低下用熱交換制御手段によって前記追い焚き循環通路を通して循環させる浴槽湯水と前記貯湯水槽内の湯水とを熱交換させるときには、前記集熱機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、該集熱機用液体循環通路の液体を介して前記追い焚き循環通路を通る浴槽湯水と前記貯湯水槽内の湯水とを熱交換させる構成としたことを特徴とする風呂装置。
【請求項３】
暖房装置に液体を循環させる暖房用液体循環通路を有して、該暖房用液体循環通路が集熱機用液体循環通路と追い焚き循環通路とに熱的に接続されており、温度低下用熱交換制御手段によって前記追い焚き循環通路を通して循環させる浴槽湯水と前記貯湯水槽内の湯水とを熱交換させるときには、前記暖房機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、さらに前記暖房用液体循環通路を通して前記液体を循環させて、前記集熱機用液体循環通路の液体と前記暖房用液体循環通路の液体とを介して前記追い焚き循環通路を通る浴槽湯水と前記貯湯水槽内の湯水とを熱交換させる構成したことを特徴とする請求項１または請求項２記載の風呂装置。
【請求項４】
集熱機用液体循環通路には該集熱機用液体循環通路を循環する液体を集熱機に通さずに循環させるためのバイパス通路が形成され、温度低下用熱交換制御手段によって追い焚き循環通路を通して循環させる浴槽湯水と貯湯水槽内の湯水とを熱交換させるときには、前記集熱機用液体循環通路を循環する液体を集熱機には通さずにバイパス通路を通して循環させる構成したことを特徴とする請求項１または請求項２または請求項３記載の風呂装置。
【発明の詳細な説明】
【技術分野】
【０００１】
本発明は、浴槽湯水の追い焚き機能を備えた風呂装置に関するものである。
【背景技術】
【０００２】
従来、様々な風呂装置が提案されており、利用者が浴槽内の湯を熱く感じたときに、例えば風呂装置に信号接続されているリモコン装置を操作することにより、風呂装置から浴槽内に例えば１０リットルといった水量の足し水を行い、湯の温度を下げる構成を備えた風呂装置が広く用いられている。また、浴槽に接続された追い焚き循環路に浴槽湯水を循環させ、このときに、浴槽湯水の追い焚きを行わずに燃焼用のファン（バーナ燃焼のために空気を送るファン）を駆動させることにより、追い焚き循環路を循環する浴槽湯水をファンからの送風によって冷却して浴槽湯温を下げる構成も提案されている（例えば、特許文献１、参照。）。
【先行技術文献】
【特許文献】
【０００３】
【特許文献１】特開平６−５８６２３号公報
【発明の概要】
【発明が解決しようとする課題】
【０００４】
しかしながら、前記のように足し水を行うと、通常は、予め定めた設定水位まで浴槽湯水を湯張りしているにもかかわらず、足し水の分だけ浴槽水位が上昇してしまい、使い勝手が悪くなるといった問題や、水が無駄になるといった問題があった。また、前記特許文献１に記載されている発明のように、浴槽湯水を追い焚き循環路で循環させてファンで冷却する構成においては、水位上昇の問題はないものの、わざわざファンを駆動させて浴槽湯水を冷却するため、熱エネルギーが無駄になってしまうといった問題があった。
【０００５】
本発明は、上記課題を解決するためになされたものであり、その目的は、水や熱エネルギーを無駄にせずに、利用者の希望に応じて浴槽湯水温を低下させることができる風呂装置を提供することにある。
【課題を解決するための手段】
【０００６】
本発明は上記目的を達成するために、次の構成をもって課題を解決する手段としている。すなわち、第１の発明は、浴槽に接続される追い焚き循環通路を有して、該追い焚き循環通路には浴槽湯水を循環させる浴槽湯水循環ポンプが設けられ、前記追い焚き循環通路には湯水を貯留する貯湯水槽が熱交換手段を介して熱的に接続されており、前記浴槽湯水の温度を検出する浴槽湯水温検出手段と、前記貯湯水槽内の湯水の温度を検出する貯湯水温検出手段とを有し、浴槽湯水温を予め定められる風呂設定温度よりも低下させる浴槽湯水温低下指令を受けて、前記浴槽湯水温検出手段により検出される浴槽湯水温検出値と前記貯湯水温検出手段により検出される貯湯水温検出値とを比較し、該貯湯水温検出値が前記浴槽湯水温検出値よりも低いときには前記浴槽湯水循環ポンプを駆動させて浴槽湯水を追い焚きせずに前記追い焚き循環通路を通して循環させ、該循環する浴槽湯水と前記貯湯水槽内の湯水とを前記熱交換手段を介して熱交換させることにより前記浴槽湯水温を低下させる温度低下用熱交換制御手段を有し、また、太陽光の受光面を備えて太陽光の熱を集熱する集熱機を有し、該集熱機は前記受光面で受ける太陽光の熱によって内部の液体を加熱する構成と成して、その液体を循環させるための集熱機用液体循環通路が前記集熱機に接続され、該集熱機用液体循環通路が貯湯水槽と追い焚き循環通路とに熱的に接続されており、温度低下用熱交換制御手段によって前記追い焚き循環通路を通して循環させる浴槽湯水と前記貯湯水槽内の湯水とを熱交換させるときには、前記集熱機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、該集熱機用液体循環通路の液体を介して前記追い焚き循環通路を通る浴槽湯水と前記貯湯水槽内の湯水とを熱交換させる構成をもって課題を解決する手段としている。
【０００７】
また、第２の発明は、浴槽に接続される追い焚き循環通路を有して、該追い焚き循環通路には浴槽湯水を循環させる浴槽湯水循環ポンプが設けられ、前記追い焚き循環通路には湯水を貯留する貯湯水槽が熱交換手段を介して熱的に接続されており、前記浴槽湯水の温度を検出する浴槽湯水温検出手段と、前記貯湯水槽内の湯水の温度を検出する貯湯水温検出手段とを有し、浴槽湯水温を予め定められる風呂設定温度よりも予め定められる設定低下温度低下させる浴槽湯水温低下指令を受けて、前記浴槽湯水温検出手段により検出される浴槽湯水温検出値と前記貯湯水温検出手段により検出される貯湯水温検出値とを比較し、該貯湯水温検出値が前記浴槽湯水温検出値よりも低いときには前記浴槽湯水循環ポンプを駆動させて浴槽湯水を追い焚きせずに前記追い焚き循環通路を通して循環させ、該循環する浴槽湯水と前記貯湯水槽内の湯水とを前記熱交換手段を介して熱交換させることにより前記浴槽湯水温を低下させる温度低下用熱交換制御手段を有し、該温度低下用熱交換制御手段は前記浴槽湯水温検出値が前記風呂設定温度よりも前記設定低下温度低くなったときに前記浴槽湯水循環ポンプを停止して前記浴槽湯水と前記貯湯水槽内の湯水との熱交換動作を停止する構成と成し、また、太陽光の受光面を備えて太陽光の熱を集熱する集熱機を有し、該集熱機は前記受光面で受ける太陽光の熱によって内部の液体を加熱する構成と成して、その液体を循環させるための集熱機用液体循環通路が前記集熱機に接続され、該集熱機用液体循環通路が貯湯水槽と追い焚き循環通路とに熱的に接続されており、温度低下用熱交換制御手段によって前記追い焚き循環通路を通して循環させる浴槽湯水と前記貯湯水槽内の湯水とを熱交換させるときには、前記集熱機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、該集熱機用液体循環通路の液体を介して前記追い焚き循環通路を通る浴槽湯水と前記貯湯水槽内の湯水とを熱交換させる構成をもって課題を解決する手段としている。
【０００９】
さらに、第３の発明は、前記第１または第２の発明の構成に加え、暖房装置に液体を循環させる暖房用液体循環通路を有して、該暖房用液体循環通路が前記集熱機用液体循環通路と追い焚き循環通路とに熱的に接続されており、温度低下用熱交換制御手段によって前記追い焚き循環通路を通して循環させる浴槽湯水と前記貯湯水槽内の湯水とを熱交換させるときには、前記暖房機用液体循環通路を循環する液体の温度が浴槽湯水温検出値より低い場合に、前記浴槽湯水を前記追い焚き循環通路を通して循環させると共に前記集熱機用液体循環通路を通して前記液体を循環させ、さらに前記暖房用液体循環通路を通して前記液体を循環させて、前記集熱機用液体循環通路の液体と前記暖房用液体循環通路の液体とを介して前記追い焚き循環通路を通る浴槽湯水と前記貯湯水槽内の湯水とを熱交換させる構成したことを特徴とする。
【００１０】
さらに、第４の発明は前記第１または第２または第３の発明の構成に加え、前記集熱機用液体循環通路には該集熱機用液体循環通路を循環する液体を集熱機に通さずに循環させるためのバイパス通路が形成され、温度低下用熱交換制御手段によって追い焚き循環通路を通して循環させる浴槽湯水と貯湯水槽内の湯水とを熱交換させるときには、前記集熱機用液体循環通路を循環する液体を集熱機には通さずにバイパス通路を通して循環させる構成としたことを特徴とする。
【発明の効果】
【００１１】
本発明によれば、温度低下用熱交換制御手段が、浴槽湯水温を予め定められる風呂設定温度よりも低下させる浴槽湯水温低下指令を受けて、浴槽湯水温検出値と貯湯水温検出値とを比較し、該貯湯水温検出値が前記浴槽湯水温検出値よりも低いときには、浴槽湯水を追い焚きせずに追い焚き循環通路を通して循環させ、該循環する浴槽湯水と貯湯水槽内の湯水とを熱交換手段を介して熱交換させることにより前記浴槽湯水温を低下させるので、浴槽湯水温を低下させるために足し水を行うときのように水が無駄になるといった問題を防ぐことができる。
【００１２】
また、本発明は、前記のようにして浴槽湯水温を低下させることができるので、追い焚き循環路内に浴槽湯水を通しながらファンを駆動させて浴槽湯水を冷却する構成と異なり、熱エネルギーを無駄にすることなく、浴槽湯水の熱エネルギーを熱交換手段を介して貯湯水槽側に移動させることができる。そして、この熱エネルギーの移動により、その熱エネルギーを例えば貯湯水槽の湯水を給湯等に利用する際に有効に利用することができる。つまり、浴槽湯水の熱によって貯湯水槽内の湯水が温められれば、その貯湯水槽内の湯水を直接利用する際に、温かい湯水を給湯等に利用できるし、加熱して利用する際にも前記熱エネルギーの分だけ加熱量が少なくても設定温度の湯の給湯を行えるようにすることができる。
【００１３】
また、本発明によれば、温度低下用熱交換制御手段が、浴槽湯水温を予め定められる風呂設定温度よりも予め定められる設定低下温度低下させる浴槽湯水温低下指令を受けて、前記の如く浴槽湯水と貯湯水槽内の湯水とを熱交換手段を介して熱交換させると共に、浴槽湯水温検出値が風呂設定温度よりも前記設定低下温度低くなったときに浴槽湯水循環ポンプを停止して前記浴槽湯水と前記貯湯水槽内の湯水との熱交換動作を停止することにより、浴槽湯水温を風呂設定温度よりも設定低下温度低くすることができる。
【００１４】
さらに、本発明において、太陽光の受光面を備えて太陽光の熱を集熱する集熱機と、該集熱機に液体を循環させるための集熱機用液体循環通路とを設け、該集熱機用液体循環通路を貯湯水槽と追い焚き循環通路とに熱的に接続し、集熱機用液体循環通路を循環する液体の温度と貯湯水温検出値とが浴槽湯水温より低い場合に、浴槽湯水を前記追い焚き循環通路を通して循環させると共に前記集熱機用液体循環通路を通して前記液体を循環させることによって、集熱機用液体循環通路の液体を介して前記追い焚き循環通路を通る浴槽湯水と前記貯湯水槽内の湯水とを熱交換させて前記効果を奏することができる。
【００１５】
なお、一般には、入浴は夜に行われ、集熱機による集熱は日中に行われるため、集熱器用液体循環通路内の液体は、設定温度まで高めた浴槽湯水温より低いことが多く、集熱機用液体循環通路の液体を介しての追い焚き循環通路を通る浴槽湯水と貯湯水槽内の湯水との熱交換を効率的に行うことができる。
【００１６】
さらに、本発明において、暖房装置に液体を循環させる暖房用液体循環通路を、集熱機用液体循環通路と追い焚き循環通路とに熱的に接続し、集熱機用液体循環通路を循環する液体の温度と暖房機用液体循環通路を循環する液体の温度と貯湯水温検出値とが浴槽湯水温より低い場合に、浴槽湯水を前記追い焚き循環通路を通して循環させると共に、集熱機用液体循環通路を通して前記液体を循環させ、さらに前記暖房用液体循環通路を通して前記液体を循環させることによって、前記集熱機用液体循環通路の液体と前記暖房用液体循環通路の液体とを介して前記追い焚き循環通路を通る浴槽湯水と前記貯湯水槽内の湯水とを熱交換させて前記効果を奏することができる。
【００１７】
さらに、本発明において、集熱機用液体循環通路に、該集熱機用液体循環通路を循環する液体を集熱機に通さずに循環させるためのバイパス通路を形成し、温度低下用熱交換制御手段によって追い焚き循環通路を通して循環させる浴槽湯水と貯湯水槽内の湯水とを熱交換させるときに、前記集熱機用液体循環通路を循環する液体を集熱機には通さずにバイパス通路を通して循環させることにより、集熱機用液体循環通路内を短い経路で循環させることができ、前記熱交換を効率的に行うことができる。
【図面の簡単な説明】
【００１８】
【図１】本発明に係る風呂装置の第１実施例の制御構成を示すブロック図である。
【図２】第１実施例の風呂装置のシステム構成を模式的に示す説明図である。
【図３】第２実施例の風呂装置のシステム構成を模式的に示す説明図である。
【図４】第２実施例の風呂装置の制御構成を示すブロック図である。
【図５】風呂の残り湯を洗濯機に導入するために従来用いられている配管構成を模式的に示す説明図である。
【発明を実施するための形態】
【００１９】
以下、本発明の実施の形態を図面に基づき説明する。
【実施例１】
【００２０】
図２には、風呂装置の第１実施例のシステム構成が模式図により示されている。この風呂装置は、給湯機能と風呂の追い焚き機能と暖房機能とを備えた複合装置であり、貯湯水ユニット３１と補助熱源装置１５とを接続して形成されている。貯湯水ユニット３１には、液体を矢印Ａおよび矢印Ａ’に示すように循環させる集熱機用液体循環通路３が設けられ、集熱機用液体循環通路３は、太陽光の熱を集熱する集熱機（コレクター）１３に接続されている。集熱機１３は、受光面で受ける太陽光の熱によって内部の液体を加熱する構成と成しており、集熱機１３には、例えば液体を通す内部通路が形成されている。
【００２１】
なお、集熱機１３は、例えば、一戸建ての住宅においては、その屋根の上に屋根の傾斜と同じ角度（例えば３０度）をつけて配置されるが、マンション等の集合住宅において、例えばベランダ手摺り部に、その太陽光の受光面を垂直向きとして配設することもできる。
【００２２】
集熱機用液体循環通路３には、液体を循環させるための液体循環ポンプ５と、液−液熱交換器１６と、電磁弁３８と、大気開放のシスターン装置５０と、集熱機用液体循環通路３を通る液体の温度を検出するサーミスタ６１が介設されている。また、集熱機用液体循環通路３には、集熱機用液体循環通路３を循環する液体を、集熱機１３に通さずに循環させるためのバイパス通路４０が形成され、バイパス通路４０には電磁弁３９が介設されている。例えば日中に、集熱機１３によって太陽光の熱を集熱するときには、電磁弁３８を開いた状態とし、電磁弁３９を閉じた状態として液体循環ポンプ５を駆動させることにより、前記の如く、液体を矢印Ａおよび矢印Ａ’に示すように集熱機用液体循環通路３内で循環させる。なお、必要に応じて、電磁弁３８を閉じた状態とし、電磁弁３９を開いた状態として液体循環ポンプ５を駆動させることにより、液体を矢印Ａおよび矢印Ａ”に示すように、バイパス通路４０を通して集熱機用液体循環通路３内で循環させることができる（集熱機用液体循環通路３内の斜線部分、参照）。
【００２３】
集熱機用液体循環通路３には、前記液−液熱交換器１６を介して暖房機用液体循環通路１７が熱的に接続されており、暖房機用液体循環通路１７には電磁弁１８と、暖房機用液体循環通路１７を通る液体の温度を検出するサーミスタ６２が介設されている。また、同図には図示されていないが、暖房機用液体循環通路１７には、電磁弁等を介して温水マット等の暖房装置が接続されている。暖房機用液体循環通路１７には、前記補助熱源装置１５が熱的に接続されている。
【００２４】
補助熱源装置１５には、暖房機用液体循環通路１７内の液体を矢印Ｂに示すように循環させる液体循環ポンプ４５と、暖房用熱交換器４２とが設けられている。また、同図には図示されていないが、暖房用熱交換器４２を加熱するバーナ（ガスバーナ）と、該バーナへの燃料（ガス）供給通路と、バーナへの給排気を行うファンとが設けられている。前記バーナの燃焼によって暖房用熱交換器４２を加熱しながら、暖房機用液体循環通路１７内の液体を循環させ、暖房装置に液体を供給することにより、暖房装置による暖房を行うことができる。補助熱源装置１５における液体循環ポンプ４５の駆動制御、バーナの燃焼制御は、図２には図示されていない燃焼制御手段１０（図１、参照）によって行われる。
【００２５】
暖房機用液体循環通路１７には、補助熱源装置１５内に設けられた液−液熱交換器の追い焚き熱交換器１２を介し、追い焚き循環通路４が熱的に接続されており、追い焚き循環通路４は浴槽２に接続されている。追い焚き循環通路４は、戻り管５４と往管５５とを有し、追い焚き循環通路４には、浴槽湯水を矢印Ｃに示すように循環させる浴槽湯水循環ポンプ６と、浴槽湯水の温度を検出する浴槽湯水温検出手段７が介設されている。
【００２６】
燃焼制御手段１０の制御に従い、浴槽湯水循環ポンプ６の駆動によって、追い焚き循環通路４を通して浴槽湯水を矢印Ｃに示すように循環させ、かつ、電磁弁１８を開の状態として液体循環ポンプ４５を駆動させることによって、暖房機用液体循環通路１７を通して液体を矢印Ｂに示すように循環させることにより、暖房機用液体循環通路１７を通る液体と追い焚き循環通路４を通る浴槽湯水との熱交換が、追い焚き熱交換器１２を介して行われる。このとき、暖房機用液体循環通路１７を通る液体を暖房用熱交換器４２によって加熱することにより、浴槽湯水の追い焚きを行うことができる。この浴槽湯水の追い焚きは、浴槽湯水温検出手段７によって検出される浴槽湯水検出温度が、例えば補助熱源装置１５に信号接続されているリモコン装置６０の操作によって予め設定される風呂設定温度に達するまで行われる。なお、リモコン装置６０は、浴室や、台所等の適宜の場所に設置される。
【００２７】
また、前記集熱機用液体循環通路３は、その一部が貯湯水槽１４内に通されており、それにより、集熱機用液体循環通路３は貯湯水槽１４に熱的に接続されている。したがって、本実施例においては、追い焚き循環通路４が、熱交換手段としての、集熱機用液体循環通路３と液−液熱交換器１６と暖房機用液体循環通路１７と追い焚き熱交換器１２とを介し、貯湯水槽１４に熱的に接続されている。
【００２８】
貯湯水槽１４には、貯湯水槽１４内に貯湯されている湯の温度を検出する貯湯水温検出手段としてのサーミスタ３４〜３７が設けられている。また、貯湯水槽１４の下側には、給水通路１９と排水通路２０とが接続されており、給水通路１９には逆止弁２１が、排水通路２０には排水電磁弁２２がそれぞれ介設されている。なお、貯湯水槽１４は例えば屋外に配置されるものであり、この風呂装置が配設される場所（地域）によっては、貯湯水槽１４の周りと、給水通路１９および排水通路２０のうち屋外に設けられる通路の周りには、ヒータ（図示せず）が設けられ、これらのヒータを作動させることによって凍結防止運転が行えるようになっている。
【００２９】
貯湯水槽１４の上側には、給湯通路２３が接続されており、給湯通路２３には、逃がし弁２９を備えた圧力逃がし通路３０が接続されている。給湯通路２３は前記補助熱源装置１５に接続され、この補助熱源装置１５を介して台所や浴室等の給湯先に接続されている。さらに、給湯通路２３には、電磁弁２４，２５，２６が接続されており、電磁弁（混合弁）２６には、逆止弁２７を備えたバイパス通路２８が接続されて、該バイパス通路２８を介して前記給水通路１９に接続されている。バイパス通路２８には入水温度検出手段４４が設けられている。
【００３０】
また、給湯通路２３において、電磁弁２５よりも上流側（貯湯水槽１４に近い側）に出湯湯温検出手段４６が設けられ、電磁弁２５，２６よりも下流側に、給湯通路２３から出湯される湯水の流量を検出する流量検出手段４９と、給湯通路２３から出湯される湯水の温度を検出する混合湯温検出手段４８とが設けられている。流量検出手段４９は、貯湯水槽１４から出湯される湯にバイパス通路２８を通って加熱されていない水を加えて形成される（混合される）湯の流量を検出し、混合湯温検出手段４８は、その湯の温度を検出する。
【００３１】
なお、同図においては、補助熱源装置１５内における給湯通路２３との接続構成の図示を省略しているが、給湯通路２３には、給湯用の熱交換器が設けられ、この熱交換器の加熱を行うバーナ（ガスバーナ）と、該バーナへの燃料（ガス）供給通路と、バーナへの給排気を行うファンとを有する給湯関連加熱用構成が設けられている。そして、補助熱源装置１５は、貯湯水槽１４から出湯されて図の矢印Ｄ’に示すようにして補助熱源装置１５に導入される湯の温度（出湯湯温検出手段４６の検出温度）が給湯設定温度以上の時には、その湯を加熱せずに出湯通路２３ａから給湯先に導き、貯湯水槽１４から出湯される湯の温度が給湯設定温度未満の時には、燃焼制御手段１０の制御に従って、その湯を加熱して給湯設定温度として出湯通路２３ａから給湯先に導く。
【００３２】
この風呂装置において、集熱機用液体循環通路３に設けられている液体循環ポンプ５を駆動させることにより、集熱機用液体循環通路３内の液体を図の矢印Ａおよび矢印Ａ’に示すように循環させ、このとき、集熱機１３により集熱機用液体循環通路３を通る液体が太陽光を利用して加熱されると、その熱により貯湯水槽１４内の湯水の加熱が行われる。また、貯湯水槽１４内には、図の矢印Ｄに示すように、給水通路１９から給水が行われ、貯湯水槽１４を通って加熱された湯が、図の矢印Ｄ’に示すように、給湯通路２３を通って給湯先から出湯される。なお、貯湯水槽１４から出湯される湯の温度が給湯設定温度よりも高い時は、図の矢印Ｅに示すように、バイパス通路２８を通り、加熱されていない水が給湯通路２３を通る湯に混合されて出湯される。
【００３３】
また、集熱機用液体循環通路３内の液体と暖房機用液体循環通路１７内の湯とを共に循環させることによって、液−液熱交換器１６を介して、集熱機用液体循環通路３の液体と暖房機用液体循環通路１７内の湯との熱交換を行うことができる。そのため、例えば、集熱機用液体循環通路３内にシスターン５０から細菌（例えばレジオネラ菌）が混入しても、補助熱源装置１５を作動させて暖房機用液体循環通路１７に通す液体の温度を高め、この液体と集熱機用液体循環通路３内の液体との熱交換によって、集熱機用液体循環通路３を循環する液体を例えば６０度以上に加熱することにより、集熱機用液体循環通路３を循環する液体の加熱殺菌を行うことができる。
【００３４】
図１には、本実施例において特徴的な制御構成が示されている。同図に示すように、リモコン装置６０と、補助熱源装置１５に設けられた制御装置３２と、貯湯水槽ユニット３１に設けられた制御装置３３とが信号接続されており、リモコン装置６０には、浴槽湯水温低下操作部４７が設けられ、制御装置３２には、浴槽湯水温低下指令伝達部８と、洗濯注水信号入力部９と、燃焼制御手段１０が設けられ、制御装置３３には、温度低下用熱交換制御手段１１が設けられている。
【００３５】
浴槽湯水温低下操作部４７は、浴槽湯水温を予め定められる風呂設定温度よりも低下させるための操作を行うものであり、浴槽湯水温低下操作部４７は、例えば「ぬるく」と表示されている操作ボタンにより形成されている。この浴槽湯水温低下操作部４７を操作すると、浴槽湯水温を予め定められる風呂設定温度よりも低下させる浴槽湯水温低下指令が出力され、制御装置３２の浴槽湯水温低下指令伝達部８に加えられる。浴槽湯水温低下指令伝達部８は、この浴槽湯水温低下指令を中継して制御装置３３の温度低下用熱交換制御手段１１に加える。
【００３６】
温度低下用熱交換制御手段１１は、浴槽湯水温低下指令を受けて、前記浴槽湯水温検出手段７により検出される浴槽湯水温検出値と、サーミスタ３４〜３７の検出温度に基づいて検出される貯湯水温検出値とを比較する。なお、温度低下用熱交換制御手段１１は、浴槽湯水温検出手段７による浴槽湯水温検出値を、燃焼制御手段１０を介して受信する。また、貯湯水温検出値は、サーミスタ３４〜３７により検出されるそれぞれの温度の平均値としてもよいし、サーミスタ３４〜３７により検出される温度のうちの最高値としてもよい。さらに、温度低下用熱交換制御手段１１は、集熱機用液体循環通路３を循環する液体の温度（サーミスタ６１の検出温度）と、暖房機用液体循環通路１７を循環する液体の温度（サーミスタ６２の検出温度）を前記浴槽湯水温検出値と比較する。
【００３７】
そして、両液体の温度および前記貯湯水温検出値が、いずれも浴槽湯水温検出値より低い場合に、温度低下用熱交換制御手段１１は、洗濯注水信号入力部９に指令を加え、浴槽湯水循環ポンプ６を駆動させて、浴槽湯水を追い焚きせずに（加熱せずに）追い焚き循環通路４を通して循環させると共に、燃焼制御手段１０に指令を加え、液体循環ポンプ４５を駆動させて、暖房機用液体循環通路１７内の液体を循環させる。
【００３８】
また、温度低下用熱交換制御手段１１は、集熱機用液体循環通路３に介設されている電磁弁３８を閉じ、バイパス通路４０に介設されている電磁弁３９を開き、液体循環ポンプ５を駆動させて、集熱機用液体循環通路３内の液体を、図２の矢印Ａ、Ａ”に示したように、集熱機１３には通さずにバイパス通路４０を通して循環させる。このように、浴槽湯水を追い焚き循環通路４を通して循環させると共に、集熱機用液体循環通路３と暖房機用液体循環通路１７とを通して、それぞれの通路３，１７内の液体を循環させることで、温度低下用熱交換制御手段１１は、追い焚き循環通路４を加熱せずに循環する浴槽湯水と貯湯水槽１４内の湯水とを、通路３，１７内の液体を介して熱交換させ、浴槽湯水温を低下させる。
【００３９】
なお、例えば、浴槽湯水温検出値が４０℃で、浴槽湯水の量が１８０リットルに対し、貯湯水温検出値が１８℃で貯湯水槽１４の湯水量が１００リットルのときには、前記熱交換を１時間行うことにより、浴槽湯水の温度を５℃程度低下させることができる。人は、浴槽湯水温が少し低下しただけでも敏感に感じるものであり、このように、浴槽湯水温をゆっくりと下げることにより、ヒートショックの緩和を行うことができる。
【００４０】
また、前記浴槽湯水温低下指令は、浴槽湯水温を前記風呂設定温度よりも予め定められる設定低下温度（例えば２℃）低下させる指令とし、以下に述べるような制御を行うことが好ましい。なお、設定低下温度は、例えば２℃にするといったように、予めリモコン装置６０内または制御装置３２内に与えておいてもよいし、例えばリモコン装置６０の操作ボタンを１回押すと０．５℃、２回押すと１℃となるようにするなど、利用者の操作に応じて可変できる値としてもよい。また、設定低下温度を可変できる構成とする場合は、設定低下温度の上限値を定めておいてもよい。
【００４１】
そして、浴槽湯水温低下操作部４７から、浴槽湯水温を風呂設定温度よりも設定低下温度低下させる浴槽湯水温低下指令を出力する場合、温度低下用熱交換制御手段１１は、前記浴槽湯水温検出値が前記風呂設定温度よりも前記設定低下温度低くなったときに、浴槽湯水循環ポンプ６、液体循環ポンプ５，４５を停止させて、浴槽湯水と貯湯水槽１４内の湯水との熱交換動作を停止するようにする。
【００４２】
なお、従来、浴槽湯水を洗濯用に用いるための構成として、例えば図５に示すような構成が用いられていた。この構成は、洗濯機に注水する注水通路７１に浴槽湯水の導入通路７０を接続し、浴槽湯水を洗濯用として用いるときには、追い焚き循環通路４に設けた三方弁６９を同図に示すような向きにして、浴槽２から追い焚き循環通路４内に通した浴槽湯水を加熱せずに、浴槽湯水の導入通路７０と注水通路７１を介して洗濯機に注水するものである。図中、符号７２は、フィルタを示し、符号７３は水道水を洗濯機に注水する通路、符号７４は水道水を風呂給湯器７５により加熱して洗濯機に注水する通路を示している。
【００４３】
このような配管構成は、必ずしも現在も用いられているとは限らないが、風呂給湯器７５の制御装置には、このような制御を行うための、洗濯注水入力信号の入力部が標準整備されており、風呂給湯器７５は補助熱源装置１５として用いることができる。そこで、本実施例では、前記の如く、リモコン装置６０から浴槽湯水温低下指令が出力されたときに、温度低下用熱交換制御手段１１から洗濯注水信号入力部９に指令を加え、浴槽湯水循環ポンプ６を駆動させて、浴槽湯水を追い焚きせずに（加熱せずに）追い焚き循環通路４を通して循環させるようにしている。つまり、この構成を用いれば、既設の風呂給湯器を補助熱源装置１５として用い、その補助熱源装置１５に貯湯水ユニット３１を接続することにより、既設の制御構成を用いて前記のような動作を行える風呂装置を形成できる。
【００４４】
なお、既設の風呂給湯器を用いずに、始めから本実施例のようなシステム構成の風呂装置を形成する場合は、洗濯注水信号入力部９を設けずに、温度低下用熱交換制御手段１１の指令に応じて、追い焚きを行わずに浴槽湯水循環ポンプ６を駆動して追い焚き循環通路４内に浴槽湯水を循環させる手段を設ければよい。
【実施例２】
【００４５】
次に、本発明に係る風呂装置の第２実施例について、図３、図４に基づいて説明する。なお、第２実施例の説明において、前記第１実施例と同様の構成要素には同一符号を付し、その重複説明は省略または簡略化する。
【００４６】
図３に示すように、第２実施例も前記第１実施例と同様に、貯湯水ユニット３１と補助熱源装置１５とを有しているが、第２実施例では、前記第１実施例に設けた暖房機用液体循環通路１７および電磁弁１８、サーミスタ６２を省略し、追い焚き循環通路４を液−液熱交換器１６を介して集熱機用液体循環通路３に熱的に接続している。したがって、補助熱源装置１５内には、追い焚き循環通路４と、浴槽湯水循環ポンプ６と、追い焚き熱交換器１２と、浴槽湯水温検出手段７と、図示されていない前記給湯関連加熱用構成とが設けられている。また、第２実施例では、暖房機用液体循環通路１７が設けられていないので、図４に示すような制御構成を有しており、暖房機用液体循環通路１７を設けていない分だけ装置構成および制御構成が簡単であるが、暖房機能は無い。
【００４７】
第２実施例では、温度低下用熱交換制御手段１１によって、追い焚き循環通路４を通して循環させる浴槽湯水と貯湯水槽１４内の湯水とを熱交換させるときには、前記貯湯水温検出値と、集熱機用液体循環通路３を循環する液体の温度とが浴槽湯水温検出値より低い場合に、前記第１実施例と同様に、洗濯注水信号入力部９への信号入力によって、浴槽湯水を加熱せずに追い焚き循環通路４を通して循環させると共に、液体循環ポンプ５を駆動させて集熱機用液体循環通路３を通して集熱機用液体循環通路３内の中の液体を循環させ、該集熱機用液体循環通路３の液体と液−液熱交換器１６とを介して、追い焚き循環通路４を通る浴槽湯水と貯湯水槽１４内の湯水とを熱交換させる。
【００４８】
なお、本発明は、前記各実施例に限定されるものでなく、適宜設定されるものである。例えば、前記各実施例では、温度低下用熱交換制御手段１１によって、追い焚き循環通路４を通して循環させる浴槽湯水と貯湯水槽１４内の湯水とを熱交換させるときには、集熱機用液体循環通路３を循環する液体を集熱機１３には通さずにバイパス通路４０を通して循環させる構成したが、集熱機用液体循環通路３を循環する液体を集熱機１３に通して循環させる構成としてもよい。
【００４９】
また、風呂装置のシステム構成は、特に限定されるものでなく、追い焚き循環通路４と貯湯水槽１４とを、熱交換手段を介して熱的に接続していれば、それ以外の構成は適宜設定されるものである。例えば集熱機１３や集熱機用液体循環通路３は省略することもできる。この場合、追い焚き循環通路４と貯湯水槽１４とを、熱交換手段としての液―液熱交換器を介して接続してもよいし、追い焚き循環通路４を貯湯水槽１４内に通し、この貯湯水槽１４内に通された追い焚き循環通路４の管路と貯湯水槽１４との接触部が熱交換手段として機能するようにして、追い焚き循環通路４と貯湯水槽１４とを直接的に熱的に接続してもよい。ただし、追い焚き循環通路４と貯湯水槽１４とを直接的に熱的に接続する構成においては、貯湯水槽１４に通された追い焚き循環通路４に穴が開いてしまった場合に、浴槽湯水内が貯湯水槽１４内の湯水に混入し、衛生上好ましくないことが生じる虞があるので、追い焚き循環通路４と貯湯水槽１４とを直接的に熱的に接続するよりも、前記実施例のような構成や液−液熱交換器を介して接続することが好ましい。
【００５０】
さらに、本発明の風呂装置は、例えば前記実施例で設けたガス燃焼を行うバーナの代わりに、石油燃焼用のバーナを設けてもよいし、電熱ヒータを設けてもよい。また、給湯通路２３を、注湯通路（図示せず）を介して追い焚き循環通路４に接続し、給湯通路２３、注湯通路、追い焚き循環通路４を順に通して、浴槽２に自動的に注湯して湯張りする自動湯張り機能を設けてもよい。
【産業上の利用可能性】
【００５１】
本発明の風呂装置は、水や熱エネルギーを無駄にせずに、浴槽湯水温を低下させたいときに低下させることができ、低下させた分の熱エネルギーを貯湯水槽内に移動して利用できるので、省エネ化が可能となり、例えば家庭用の風呂装置として利用できる。
【符号の説明】
【００５２】
２      浴槽
３      集熱機側液体循環通路
４      追い焚き循環通路
５      液体循環ポンプ
６      浴槽湯水循環ポンプ
７      浴槽湯水温検出手段
８      浴槽湯水温低下指令伝達部
９      洗濯注水信号入力部
１０    燃焼制御手段
１１    温度低下用熱交換制御手段
１３    集熱機
１４    貯湯水槽
１５    補助熱源装置
１７    暖房機用液体循環通路
【図１】
0005656468.tif 000002
【図２】
0005656468.tif 000003
【図３】
0005656468.tif 000004
【図４】
0005656468.tif 000005
【図５】
0005656468.tif 000006